(57)【要約】【課題】  簡単な構成で、鏡を近付けて自分の姿をより明瞭に見えるようにするときのような必要なときにのみ照明器具が点灯するとともに、照明器具の消し忘れを防止することのできるミラーキャビネットを提供することにある。【解決手段】  キャビネット本体１の正面側を照射する照明器具９ａ〜９ｆを備えるとともに、キャビネット本体１の正面側に設けたセンターミラー部２の左右両側に、鏡部３ａ、４ａを備えた鏡付袖扉３、４が並設されたミラーキャビネットであって、鏡付袖扉３、４は、鏡部３ａ、４ａが内側方向、外側方向の両方向に開扉可能であり、照明器具９ａ〜９ｆは、鏡付袖扉３、４に設置されて、鏡付袖扉３、４が内側方向に開扉する外側開き動作のときにのみ点灯し、外側開きが閉扉すると消灯するものである。【選択図】  図１
2005304944.tif 000002
【特許請求の範囲】
【請求項１】
キャビネット本体の正面側を照射する照明器具を備えるとともに、キャビネット本体の正面に設けたセンターミラー部部の左右両側に、鏡部を備えた鏡付袖扉が並設されたミラーキャビネットであって、
前記鏡付袖扉は、前記鏡部が内側方向、外側方向の両方向に開扉可能であり、
前記照明器具は、前記鏡付袖扉に設置されて、前記鏡付袖扉が内側方向に開扉する外側開き動作のときにのみ点灯し、外側開きが閉扉すると消灯するものであることを特徴とするミラーキャビネット。
【請求項２】
外側開き動作のときにのみ前記照明器具を点灯させ、外側開きが閉扉すると前記照明器具を消灯させる検知スイッチを備えたことを特徴とする請求項１に記載のラーキャビネット。
【発明の詳細な説明】
【技術分野】
【０００１】
本発明は、ミラーキャビネットに関するものであり、より詳細には、鏡部を備えた鏡付袖扉が並設されたミラーキャビネットに関するものである。
【背景技術】
【０００２】
従来の、内側開き及び外側開きが選択できる開閉自在な鏡付袖扉を備えたミラーキャビネットとしては、図６に示すような、キャビネット本体２４の正面側に並設した三つの鏡部２６ａ、２７ａ、２８ａのうち、左右の鏡部２７ａ、２８ａを備えた左右の鏡付袖扉２７、２８を、収納部２４の正面に開閉自在に取り付け、鏡付袖扉２７、２８の各々は、内側開き及び外側開きが可能なように取り付けられ、内側開き又は外側開きを選択できるようにしたものが知られている。このようなミラーキャビネットにあっては、鏡付袖扉の内側開き及び外側開きが可能なため、姿を映す等のときには鏡付袖扉を内側開き状態にでき、収納部から収納物を出し入れする等のときには鏡付袖扉を外側開き状態にして、収納部から収納物を簡単に出し入れすることが可能となる。
【０００３】
このような従来のミラーキャビネットでは、顔などの鏡に映る自分の姿をより明瞭に見えるようにするために、通常、キャビネット本体の正面側を照射する照明器具２９と、この照明器具２９を点灯及び消灯するための照明用スイッチが別途設けられている。このような照明スイッチは、スイッチの切換（オンオフ）を行なうことにより照明器具２９が点灯及び消灯されるものであり、使用後に照明器具の消灯を忘れてしまった場合には、それに気付いてスイッチのオフを行なうまでは照明器具が点灯したままになり、無駄な電力が消費されることになる。そのため、人体検知センサー等を備えて、キャビネット本体の手前に人体を検出した場合のみ照明器具が点灯するようにしたり、鏡付袖扉が開いた状態を検出した場合にのみ照明器具が点灯させることも考えられるが、いずれの構成においても、収納部を出し入れするような照明器具の点灯が必ずしも必要でない場合にまで照明器具が点灯してしまい、不要な電力が消費されるという問題を有していた（特許文献１）。
【特許文献１】特開平２００２−３２０５２１号公報
【発明の開示】
【発明が解決しようとする課題】
【０００４】
本発明は、このような点に鑑みてなされたものであり、その目的とするところは、簡単な構成で、鏡を近付けて自分の姿をより明瞭に見えるようにするときのような必要なときにのみ照明器具が点灯するとともに、照明器具の消し忘れを防止することのできるミラーキャビネットを提供することである。
【課題を解決するための手段】
【０００５】
上記した課題を解決するために、本発明の請求項１に係るミラーキャビネットは、キャビネット本体の正面側を照射する照明器具を備えるとともに、キャビネット本体の正面に設けたセンターミラー部の左右両側に、鏡部を備えた鏡付袖扉が並設されたミラーキャビネットであって、前記鏡付袖扉は、前記鏡部が内側方向、外側方向の両方向に開扉可能であって、前記照明器具は、前記鏡付袖扉に設置されて、前記鏡付袖扉が内側方向に開扉する外側開き動作のときにのみ点灯し、外側開きが閉扉すると消灯するものであることを特徴とする。
【０００６】
本発明の請求項２に係るミラーキャビネットは、外側開き動作のときにのみ前記照明器具を点灯させ、外側開きが閉扉すると前記照明器具を消灯させる検知スイッチを備えたことを特徴とする。
【発明の効果】
【０００７】
本発明の請求項１に係るミラーキャビネットによると、センターミラー部の左右両側に並設された前記鏡付袖扉は、鏡部が内側方向、外側方向の両方向に開扉可能であり、また、前記照明器具は、前記鏡付袖扉に設置されて、前記鏡付袖扉が内側方向に開扉する外側開き動作のときにのみ点灯し、外側開きが閉扉すると消灯するものであるので、洗面具や化粧品等の収納物を収納部に出し入れするような照明器具の点灯が必ずしも必要でない場合には前記照明器具は点灯せず、不要な電力が消費されることを防止することができる。また、ミラーキャビネットの使用者が鏡付袖扉を開いて使用した後は、殆どの場合、鏡付袖扉を閉扉状態にして終了するので、点灯した照明器具の消し忘れがなく、無駄な電力の消費を有効に防止することができる。
【０００８】
本発明の請求項２に係るミラーキャビネットによると、請求項１に記載の効果に加えて、外側開き動作のときにのみ前記照明器具を点灯させ、外側開きが閉扉すると前記照明器具を消灯させる検知スイッチを備えているので、照明機器の点灯及び消灯が検知スイッチのオンオフにより行なわれて、鏡付袖扉の開閉状況に対応した照明器具の点灯・消灯がより確実なものとなる。
【発明を実施するための最良の形態】
【０００９】
（実施形態１）
本発明の第１の実施形態を図１乃至図４に基づいて説明する。図１乃至図４において、１はキャビネット本体、２はセンターミラー部、３、４は鏡付袖扉、３ａ、４ａは鏡付袖扉の鏡部、５は検知スイッチ、６ａ〜６ｅは蝶番、７は洗面ボール部、８はシャワー混合水栓、９ａ〜９ｆは照明器具、１２は中央収納部、１３は左側収納部、１４は右側収納部、１５はガラス層、１６は鏡面層、１７は補強板、１７ａは凹部、１８は固定用部材、１９は係止具、２０は接続コードである。
【００１０】
図１は、本実施形態におけるミラーキャビネットの概略を示す斜視図である。同図に示すように、本実施形態におけるミラーキャビネットは、キャビネット本体１の正面側の上部に、センターミラー部２及びその左右の両側に鏡付袖扉３，４及を並設した三面鏡タイプであり、その下側には、奥側にシャワー混合水栓８が設置された洗面ボール部７を有している。
【００１１】
鏡付袖扉３，４の奥側には、前面側が開口する左側収納部１３及び右側収納部１４が形成されており、鏡付袖扉３，４は、この開口を閉塞するように内側開き及び外側開きが選択可能に設置されている。
【００１２】
また、左側の鏡付袖扉３の左側端部近傍及び右側の鏡付袖扉４の右側端部近傍には、それぞれ異なる高さに３つの照明器具９ａ〜９ｆが設置されている。
【００１３】
図２は、鏡付袖扉３、４の開閉状態の概略を示す横断面図であり、（ａ）は閉扉状態、（ｂ）は内側開き状態、（ｃ）は外側開き状態を示している。同図（ａ）に示すように、鏡付袖扉３、４は、それぞれ、表面に鏡面が形成された正面視略矩形の鏡部３ａ、４ａと、外周形状が鏡部３ａ、４ａと略同一の枠体からなるフレーム部３ｂ、４ｂとから構成され、鏡部３ａ、４ａが前面側になるよう配置される。
【００１４】
フレーム部３ｂは、左側端部が左側収納部１３の開口端部の左端側に上下一対の蝶番６ｂにて軸支されており、そのためフレーム部３ｂは、キャビネット本体１に対して内側開き側に開閉可能に設置されている。同様に、フレーム部４ｂは、同図（ｃ）に示すように、右側端部が右側収納部１４の開口端部の右端側に蝶番６ｅにて軸支されており、そのためフレーム部４ｂは、キャビネット本体１に対して外側に向かって内側が開閉（内側開き）可能に設置されている。
【００１５】
また、鏡部４ａは、左側端部がフレーム部４ｂの左側端部に上下一対の蝶番６ｄにて軸支されており、そのため鏡部４ａは、同図（ｂ）に示すように、フレーム部４ｂに対して内側に向かって外側が開閉（外側開き）可能に設置されている。このような構成とすることにより、顔などの自分の姿を鏡に映すときには、同図（ｂ）のように、右側収納部１４の開口端部とフレーム部４ｂとが接合した状態で鏡部４ａのみを外側開き側に開き、また、右側収納部１４に収納物を出し入れするときには、同図（ｃ）のように、フレーム部４ｂと鏡部４ａとが接合した状態でフレーム部４ｂを内側開き側に開くことで、鏡付袖扉４は、右側収納部１４に対して内側開き及び外側開きが選択可能に設置されている。なお、外側開き時の収納物の出し入れは、フレーム部４ｂを挿通させて行なうことになる。
【００１６】
なお、図示はしていないが、左側の鏡付袖扉３についても同様に、左側収納部１３に対して内側開き及び外側開きが選択可能に設置されている。
【００１７】
図３は、鏡部４ａに照明器具９ｆが設置されている鏡付袖扉４の下方側の概略を示す斜視図であり、図４は、鏡部４ａに照明器具９ｄが設置されている鏡付袖扉４の上方側の概略を示す縦断面図である。
【００１８】
鏡部４ａは、木製もしくはプラスチック製の補強板１７の前面側表面に銀蒸着により鏡面層１６を形成し、さらに、この鏡面層１６上にガラス層１５を形成することにより得られるものである。鏡部４ａの上部には、Ｕ字型の固定部材１８が係止具１９にて補強板１７に螺子止めにより取り付けられて、ガラス層１５、鏡面層１６及び補強板１７の各層間の接合を補強して強固なものとしている。
【００１９】
この補強板１７の正面側の左右両端部近傍には、照明器具９ａ〜９ｆを挿入設置する為の凹部１７ａが高さ方向に複数個形成されている。また、補強板１７の内部の外周部近傍には、外周方向近傍に、凹部１７ａと連通する通路部１７ｂが形成され、この通路部１７ｂに、照明器具９ｄ〜９ｆに外部電源から電力を供給するために照明器具９ｄ〜９ｆと電気的に接続し、外方に延出して外部電源と電気的に接続される接続コード２０が設置されている。本実施形態においては、フレーム部４ｂの内部にも接続コードを挿通させるための通路部（図示せず）が形成され、図３に示すように、鏡部４ａの外部に延出する接続コード２０は、フレーム部４ｂの通路部を通ってさらにフレーム本体１へ延出されている。
【００２０】
また、図３に示すように、鏡部４ａの左側端部を軸支するフレーム部４ｂの下方の左側端部付近の所定位置には、鏡部４ａとフレーム部４ｂとの開閉状態を検知する為の検知スイッチ５が設置されている。
【００２１】
この検知スイッチ５は、前後方向に押圧するボタン式のスイッチ部材であって、照明器具９ｄ〜９ｆ及び外部電源との中間に接続コード２０にて電気的に直列に接続され、スイッチに外力が負荷されていない状態では、照明器具９ｄ〜９ｆと外部電源とを導通させて照明器具９ｄ〜９ｆが点灯するようになっている。また、スイッチに外力が負荷されボタンが押圧された状態では、照明器具９ｄ〜９ｆと外部電源との導通が遮断されて照明器具９ｄ〜９ｆが点灯しないようになっている。
【００２２】
以上のように構成されたミラーキャビネットは、図２（ａ）に示すような鏡付袖扉４が閉扉状態の場合には検知ボタン５は鏡部４ａに押圧されているため、照明器具９ｄ〜９ｆは点灯しない。また、同図（ｃ）に示すように、外側開き状態の場合も、鏡部４ａとフレーム部４ｂとは閉じたままであるので、検知ボタン５は鏡部４ａに押圧されて照明器具９ｄ〜９ｆは点灯しない。そして、同図（ｂ）に示すように、外側開き状態の場合のみ、検知ボタン５は鏡部４ａの押圧から開放されて照明器具９ｄ〜９ｆが点灯する。
【００２３】
このように、本実施形態におけるミラーキャビネットによると、センターミラー部２の左右両側に並設された鏡付袖扉３，４は、鏡部３ａ、４ａが内側方向、外側方向の両方向に開扉可能であり、また、照明器具９ａ〜９ｆは、鏡付袖扉３，４に設置されて、鏡付袖扉３，４が内側方向に開扉する外側開き動作のときにのみ点灯し、外側開きが閉扉すると消灯するものであるので、洗面具や化粧品等の収納物を収納部１３、１４に出し入れするような照明器具９ａ〜９ｆの点灯が必ずしも必要でない場合には照明器具９ａ〜９ｆは点灯せず、不要な電力が消費されることを防止することができる。また、ミラーキャビネットの使用者が鏡付袖扉３，４を開いて使用した後は、殆どの場合、鏡付袖扉３，４を閉扉状態にして終了するので、点灯した照明器具９ａ〜９ｆの消し忘れがなく、無駄な電力の消費を有効に防止することができる。
【００２４】
また、外側開き動作のときにのみ照明器具９ａ〜９ｆを点灯させ、外側開きが閉扉すると照明器具９ａ〜９ｆを消灯させる検知スイッチ５を備えているので、照明機器９ａ〜９ｆの点灯及び消灯が検知スイッチ５のオンオフにより行なわれて、鏡付袖扉３，４の開閉状況に対応した照明器具９ａ〜９ｆの点灯・消灯がより確実なものとなる。以上の述べたこれらの効果は後述する第２の実施形態においても同様である。
【００２５】
（実施形態２）
本発明の第２の実施形態を図５に基づいて説明する。図５において、１はキャビネット本体、２はセンターミラー部、３、４は鏡付袖扉、３ａ、４ａは鏡付袖扉の鏡部、５は検知スイッチ、６ａ〜６ｅは蝶番、１３は左側収納部、１４は右側収納部である。本実施形態は、外側開きするときはフレーム部４ｂ、５ｂ及び鏡部４ａ、５ａの外側を一体に開き、内側開きするときは鏡部４ａ、５ａのみの内側を開くことに特徴を有し、検知スイッチや鏡部の各層等、それ以外の構成について第１の実施形態と同様であるので共通する部分については説明を省略する。
【００２６】
図５は、本実施形態における鏡付袖扉３、４の開閉状態の概略を示す横断面図であり、（ａ）は閉扉状態、（ｂ）は内側開き状態、（ｃ）は外側開き状態を示している。同図（ａ）に示すように、鏡付袖扉３、４は、それぞれ、表面に鏡面が形成された正面視略矩形の鏡部３ａと、外周形状が鏡部３ａ、４ａと略同一の枠体からなるフレーム部３ｂ、４ｂとから構成され、鏡部３ａ、４ａが前面側になるよう配置される。
【００２７】
フレーム部３ｂは、右側端部が左側収納部１３の開口端部の右端側に上下一対の蝶番６ｂにて軸支されており、そのためフレーム部３ｂは、キャビネット本体１に対して外側開き側に開閉可能に設置されている。同様に、フレーム部４ｂは、同図（ｂ）に示すように、左側端部が右側収納部１４の開口端部の左端側に蝶番６ｅにて軸支されており、そのためフレーム部４ｂは、キャビネット本体１に対して内側に向かって外側が開閉（外側開き）可能に設置されている。
【００２８】
また、鏡部４ａは、右側端部がフレーム部４ｂの右側端部に上下一対の蝶番６ｄにて軸支されており、そのため鏡部４ａは、同図（ｃ）に示すように、フレーム部４ｂに対して外側に向かって内側が開閉（内側開き）可能に設置されている。このような構成とすることにより、顔などの自分の姿を鏡に映すときには、同図（ｂ）のように、鏡部４ａが接合した状態でフレーム部４ｂを内側に向かって開き（外側開きし）、また、右側収納部１４に収納物を出し入れするときには、同図（ｃ）のように、右側収納部１４の開口端部とフレーム部４ｂとが接合した状態で鏡部４ａのみを外側に向かって開く（内側開きする）ことで、鏡付袖扉４は、右側収納部１４に対して内側開き及び外側開きが選択可能に設置されている。なお、内側開き時の収納物の出し入れは、フレーム部４ｂを挿通させて行なうことになる。
【００２９】
なお、図示はしていないが、左側の鏡付袖扉３についても同様に、左側収納部１３に対して内側開き及び外側開きが選択可能に設置されている。
【００３０】
以上のように構成されたミラーキャビネットは、同図（ａ）に示すような鏡付袖扉４が閉扉状態の場合には検知ボタン５は鏡部４ａに押圧されているため、照明器具９ｄ〜９ｆは点灯しない。また、同図（ｃ）に示すように、内側開き状態の場合も、鏡部４ａとフレーム部４ｂとは閉じたままであるので、検知ボタン５は鏡部４ａに押圧されて照明器具９ｄ〜９ｆは点灯しない。そして、同図（ｂ）に示すように、外側開き状態の場合のみ、検知ボタン５は鏡部４ａの押圧から開放されて照明器具９ｄ〜９ｆが点灯する。
【００３１】
なお、本実施形態においては、第１の実施形態と同様に、鏡付袖扉３、４は、それぞれ、鏡部３ａ、４ａと枠体からなるフレーム部３ｂ、４ｂとから構成されるものであったが、これに限定されるものではなく、フレーム部３ｂ、４ｂに代えて外周形状が鏡部３ａ、４ａと略同一の平板状部材のを用いてもよい。
【図面の簡単な説明】
【００３２】
【図１】第１の実施形態におけるミラーキャビネットの概略を示す斜視図である。
【図２】第１の実施形態における鏡付袖扉の開閉状態の概略を示す横断面図であり、（ａ）は閉扉状態、（ｂ）は内側開き状態、（ｃ）は外側開き状態である。
【図３】第１の実施形態における鏡部に照明器具が設置されている鏡付袖扉の概略（下方側）を示す斜視図である。
【図４】第１の実施形態における鏡部に照明器具が設置されている鏡付袖扉の概略（上方側）を示す縦断面図である。
【図５】第２の実施形態における鏡付袖扉の開閉状態の概略を示す横断面図であり、（ａ）は閉扉状態、（ｂ）は内側開き状態、（ｃ）は外側開き状態である。
【図６】従来例を示す斜視図である。
【符号の説明】
【００３３】
１    キャビネット本体
２    センターミラー部
３、４  鏡付袖扉
３ａ、４ａ  鏡付袖扉の鏡部
９ａ〜９ｆ  照明器具
【図１】
2005304944.tif 000003
【図２】
2005304944.tif 000004
【図３】
2005304944.tif 000005
【図４】
2005304944.tif 000006
【図５】
2005304944.tif 000007
【図６】
2005304944.tif 000008